(57)【特許請求の範囲】
【請求項１】
発光体と、透光性を有し箱形に形成されて発光体を内部に収容する内ケースと、透光性を有し内ケースよりも少し大きな箱形に形成されて内ケースに嵌合される開口部が設けられた外ケースと、透光性を有し装飾が施されて内ケース，外ケースの間に着脱可能に位置される装飾板とを備え、内ケース，外ケースは一方が透明材料で形成され他方が半透明材料で形成され、装飾板は押花からなる装飾を２枚の透明なシートの間に収容してシールしてなり外ケースの開口部側から嵌合された内ケース，外ケースの間に差込み可能であることを特徴とする光装飾装置。
【発明の詳細な説明】
【０００１】
【発明の属する技術分野】
本発明は、発光体の光を装飾板に透光させ、照明具，インテリア，表示具等として使用される光装飾装置に係る技術分野に属する。
【０００２】
【従来の技術】
従来、光装飾装置としては、例えば、発光体と、発光体を囲むフレームと、透光性を有し装飾が施されてフレームにスライド着脱可能に取付けられる装飾板となるものが知られている。
【０００３】
この従来の光装飾装置では、フレームに対して装飾板を交換することによって装飾態様を変更することができるため、装飾性が高く用途性が広いという利点がある。
【０００４】
【発明が解決しようとする課題】
前述の従来の光装飾装置では、装飾板が外部に露出しているため、装飾板が汚れ損傷しやすいという問題点がある。さらに、発光体として白熱電球をしようした場合や装飾板を日光が照射される場所に設置した場合に、装飾板が加熱により撓み変形するという問題点がある。さらに、装飾板がフレームとともに発光体を囲む構造体を構成することから、装飾板にある程度の厚さを保持して構造体的強度を備えなければならないため、装飾板の透光性が低下して装飾性が低くなるという問題点がある。
【０００５】
本発明は、このような問題点を考慮してなされたもので、装飾板の汚れ損傷や撓み変形が防止され、装飾板の装飾性が高い光装飾装置を提供することを課題とする。
【０００６】
【課題を解決するための手段】
前述の課題を解決するため、本発明に係る光装飾装置は、次のような手段を採用する。
【０００７】
即ち、請求項１に記載のように、発光体と、透光性を有し箱形に形成されて発光体を内部に収容する内ケースと、透光性を有し内ケースよりも少し大きな箱形に形成されて内ケースに嵌合される開口部が設けられた外ケースと、透光性を有し装飾が施されて内ケース，外ケースの間に着脱可能に位置される装飾板とを備え、内ケース，外ケースは一方が透明材料で形成され他方が半透明材料で形成され、装飾板は押花からなる装飾を２枚の透明なシートの間に収容してシールしてなり外ケースの開口部側から嵌合された内ケース，外ケースの間に差込み可能であることを特徴とする。
【０００８】
この手段では、装飾板が外ケースに覆われるため、装飾板の汚れ損傷が防止される。また、装飾板が内ケース，外ケースの間に挟まれるため、撓み変形が防止される。また、内ケース，外ケースが構造体を構成して装飾板が構造体を構成する必要がないことから、装飾板の厚さを薄くして透光性を高めることができるため、装飾板の装飾性が高くなる。また、厚さの薄くなっている装飾板の特性を利用して、装飾板が嵌合された内ケース，外ケースの間に差込まれる。また、半透明材料からなる内ケース，外ケースのいずれかを通過する光が拡散される。また、生花が乾燥，押圧された透光性を有する押花が装飾板の装飾として選択される。
【０００９】
【発明の実施の形態】
以下、本発明に係る光装飾装置の実施の形態を図面に基づいて説明する。
【００１０】
図１〜図７は、本発明に係る光装飾装置の実施の形態（１）を示すものである。
【００１１】
この実施の形態では、卓上に設置され照明具，インテリアとして使用されるものを示してある。
【００１２】
この実施の形態は、図１に示すように、基台１，発光体２，配線部材３，内ケース４，外ケース５，装飾板６，７の各部で形成されている。
【００１３】
基台１は、木材，合成樹脂材等である程度の重量（接触等による他部を含めた全体の転倒を防止することができる程度の重量）を有し、卓等に載せることのできる方形の厚板ブロック形に形成されている。底面には、中央部に配線部材３の一部が配設される窪み１１が設けられている。上面には、中央部に内ケース３が嵌合する方形の突隆部１２が設けられている。
【００１４】
発光体２は、白熱電球からなるもので、基台１の突隆部１３の中心に立設されている。
【００１５】
配線部材３は、基台１の突隆部１３の中心に固定され発光体２を支持して電気的に接続するソケット３１と、ソケット３１に接続したコード３２とからなる。コード３２は、基台１を貫通して窪み１１の内部に延びている。
【００１６】
内ケース４は、透光性が比較的低くなる半透明な合成樹脂板材で４角形の箱形に形成されている。底部には、基台１の突隆部１３に嵌合可能に開放された開口部４１が設けられている。上壁には、発光体２で加熱された空気を排出する排熱孔４２が設けられている。
【００１７】
外ケース５は、透光性が比較的高く透明な合成樹脂板材で内ケース４よりも少し大きな４角形の箱形に形成されている。底部には、内ケース４に嵌合可能に開放された開口部５１が設けられている。上壁には、内ケース４の排熱孔４２と対応した排熱孔５２が設けられている。
【００１８】
装飾板６，７は、透光性が比較的高く透明な合成樹脂シートで内ケース４，外ケース５の間に位置可能な方形に形成されている。内ケース４，外ケース５の側壁の間に位置する装飾板６は、図４に詳細に示されるように、生花が乾燥，押圧された高い透光性を有する押花からなる装飾６１を２枚の透明なシート６２，６３の間に収容してラミネート等によりシールしてなる。なお、内ケース４，外ケース５の上壁の間に位置する装飾板７は、同様の装飾７１，シート７２，７３に加えて、シート７２，７３の４隅に内ケース４の排熱孔４２，外ケース５の排熱孔５２を避ける切欠７４が設けられている。
【００１９】
この実施の形態によると、内ケース４，外ケース５の上壁の間に装飾板７を位置させるには、図５に示すように、外ケース５から内ケース４を抜いて外ケース５の開口部５１を上方に向けておき、外ケース５の開口部５１から上壁に装飾板７を落とし込む。そして、図６に示すように、外ケース５に内ケース４を嵌合する。
【００２０】
また、内ケース４，外ケース５の側壁の間に装飾板６を位置させるには、図７に示すように、嵌合された内ケース４，外ケース５の開口部４１，５１側から両者の間の隙間に差込む。
【００２１】
この後、内ケース４に基台１の突隆部１３を嵌合させることで全体の組立が完了する。なお、設置の際には、全体を反転することになる。
【００２２】
逆に、分解する際には、前述の組立の逆の作業を行うことになる。
【００２３】
従って、装飾板６，７を容易に交換することができるため、装飾態様の変更が容易である。
【００２４】
この実施の形態が設置された状態では、発光体２から発光された光が半透明の内ケース４で拡散され内ケース４の全面で均一に透過する。従って、発光体２の存在をぼかすことができるとともに、装飾板６，７の装飾６１，７１に均等に光が照射される。
【００２５】
装飾板６，７の装飾６１，７１を透過した光は、そのまま透明の外ケース５から外部に透過する。従って、装飾板６，７の装飾６１，７１の全体が外部から明確に視認され、美的な感慨を得ることになる。この押花からなる装飾板６，７の装飾６１，７１は、自然の形状，色彩がそのまま表れるため、極めて美麗で人工では得られない美的な感慨が得られる。特に、内ケース４，外ケース５が発光体２を囲む構造体を構成して、装飾板６，７が構造体を構成する必要がないことから、装飾板６，７の厚さをかなり薄くして透光性を高めることができるため、装飾板６，７の装飾性が高くなる。
【００２６】
この実施の形態の設置では、装飾板６，７が外ケース５に覆われて外部に露出していないため、装飾板６，７の汚れ汚損が防止される。
【００２７】
また、装飾板６，７が内ケース４，外ケース５の間に挟まれているため、発光体２や熱や日光の照射熱で装飾板６，７が撓み変形することがない。
【００２８】
この実施の形態の変形例としては、内ケース４を透明とし外ケース５を半透明とすることが考えられる。
【００２９】
この変形例によると、装飾板６，７の装飾６１，７１を透過した光が半透明の外ケース５で拡散されてから外部に透過するため、装飾６１，７１にぼかしの効果を与えることができる。
【００３０】
図８は、本発明に係る光装飾装置の実施の形態（２）を示すものである。
【００３１】
この実施の形態では、内ケース４，外ケース５を円形の箱形に形成してある。そして、内ケース４，外ケース５の側壁の間に位置する装飾板６は、筒形に形成されるかフレキシブルな長方形に形成されるかして、内ケース４，外ケース５の側壁の間に円筒形に位置されるようになっている。また、内ケース４，外ケース５の上壁の間に位置する装飾板７は、円形に形成されている。
【００３２】
この実施の形態によると、前述の実施の形態（１）と同様の作用，効果が奏される。
【００３３】
図９は、本発明に係る光装飾装置の実施の形態（３）を示すものである。
【００３４】
この実施の形態では、内ケース４，外ケース５を４角錐形の箱形に形成してある。そして、内ケース４，外ケース５の側壁の間に位置する装飾板６は、３角形に形成されている。また、内ケース４，外ケース５の上壁の間に位置する装飾板７は、不要になっている。
【００３５】
この実施の形態によると、前述の実施の形態（１）と同様の作用，効果が奏される。
【００３６】
図１０は、本発明に係る光装飾装置の実施の形態（４）を示すものである。
【００３７】
この実施の形態では、天井に吊持ち設置され照明具，インテリアとして使用されるものを示してある。
【００３８】
この実施の形態は、前述の実施の形態（１）の内ケース４，外ケース５の上下を逆にして排熱孔４２，５２を省略してある。そして、基台１に代えて内ケース４の開口部４１に嵌合取付けされる基板８に配線部材３を取付け、基板８に排熱孔８１を設けてある。
【００３９】
さらに、この実施の形態では、外ケース５に吊持用鎖９を連結してある。
【００４０】
この実施の形態によると、前述の実施の形態（１）とほぼ同様の作用，効果が奏される。
【００４１】
以上、図示した実施の形態の外に、内ケース４，外ケース５を楕円の箱形や他の多角形の箱形とすることも可能である。
【００４２】
さらに、壁取付タイプ等に構成することも可能である。
【００４３】
【発明の効果】
以上のように、本発明に係る光装飾装置は、装飾板が外ケースに覆われるため、装飾板の汚れ損傷が防止される効果がある。
【００４４】
さらに、装飾板が内ケース，外ケースの間に挟まれるため、装飾板の撓み変形が防止される効果がある。
【００４５】
さらに、内ケース，外ケースが構造体を構成して装飾板が構造体を構成する必要がないことから、装飾板の厚さを薄くして透光性を高めることができるため、装飾板の装飾性が高くなる効果がある。
【００４６】
さらに、装飾板が嵌合された内ケース，外ケースの間に差込んで位置され、装飾板の交換が容易であるため、装飾態様の変更が容易である効果がある。
【００４７】
さらに、半透明の内ケースまたは外ケースで光が拡散されるため、より装飾性が高くなる効果がある。
【００４８】
さらに、押花からなる装飾が自然の形状，色彩がそのまま表しているため、極めて美麗で人工では得られない美的な感慨が得られる効果がある。
【図面の簡単な説明】
【図１】  本発明に係る光装飾装置の実施の形態（１）を示す分解状態の斜視図である。
【図２】  図１の組立状態の斜視図である。
【図３】  図２の拡大縦断面図である。
【図４】  図１の要部の拡大正面図である。
【図５】  図１から図２への組立例を示す工程図であり、最初の段階を示している。
【図６】  図５に続く段階の工程図である。
【図７】  図６に続く段階の工程図である。
【図８】  本発明に係る光装飾装置の実施の形態（２）を示す組立状態の斜視図である。
【図９】  本発明に係る光装飾装置の実施の形態（３）を示す組立状態の斜視図である。
【図１０】  本発明に係る光装飾装置の実施の形態（４）を示す組立状態の斜視図である。
【符号の説明】
２
発光体
４            内ケース
５            外ケース
６，７        装飾板
６１，７１    装飾
【図１】
0004430158.tif 000002
【図２】
0004430158.tif 000003
【図３】
0004430158.tif 000004
【図４】
0004430158.tif 000005
【図５】
0004430158.tif 000006
【図６】
0004430158.tif 000007
【図７】
0004430158.tif 000008
【図８】
0004430158.tif 000009
【図９】
0004430158.tif 000010
【図１０】
0004430158.tif 000011